(57)【特許請求の範囲】
【請求項１】
主体を含み、前記主体の中には輸送空間が設置され、前記輸送空間の上壁左端には上方に開口した原料送り込み口が設置され、前記輸送空間の前後壁の間には輸送輪が左右対称的に、且つ回転できるように設置され、前記輸送輪の間には輸送ベルトが巻き付くように設置され、前記輸送空間の左壁には左側の前記輸送輪の上方に位置する流れガイド板が固定的に設置され、前記流れガイド板は前記原料送り込み口の下側に正対し、前記原料送り込み口によって原料が前記輸送空間の中に投入され、前記流れガイド板が流れをガイドすることで、原料が前記輸送ベルトの上方に落ち、且つ衝撃力で原料を分散し、且つ前記輸送ベルトを介して右方へ絶えずに輸送され、前記原料送り込み口の右側には空気吸い上げ装置が設置され、前記空気吸い上げ装置の中にはファンが設置され、前記ファンは原料から揮発した気体を排出し、前記空気吸い上げ装置の右側には消臭装置が設置され、前記消臭装置の中には原料撒き板が設置され、前記原料撒き板の前後への往復運動によって、消臭剤又はほかの消臭する用の試薬を前記原料撒き板の下方を経過する原料に均等的に撒き、前記輸送空間の右側壁には貯蔵空間が連通するように設置され、前記貯蔵空間の右側には原料吸い上げ装置が設置され、前記原料吸い上げ装置の中には原料吸い上げ空間が設置され、前記原料吸い上げ空間の右側には原料送り出しパイプが連通するように設置され、前記輸送ベルトは浄化処理された後の原料を前記貯蔵空間の中に輸送して貯蔵し、そして上述の原料が前記原料吸い上げ空間の中に入って吸い上げられて輸送され、また前記原料送り出しパイプを介して吸出されて使用され、前記主体の中の後側には伝動装置が設置され、前記伝動装置は前記輸送輪と、前記空気吸い上げ装置の中の前記ファンと、前記消臭装置の中の前記原料撒き板と、前記原料吸い上げ装置との同期作動を同期に連動させることができることを特徴とする排気ガス浄化処理装置付きの原料輸送システム。
【請求項２】
前記空気吸い上げ装置は前記輸送空間の上壁に連通するように設置され、且つ前記原料送り込み口の右側に位置する空気吸い上げ空間を含み、前記空気吸い上げ空間の上壁にはファン空間が連通するように設置され、前記ファン空間の上壁には空気出しパイプが連通するように設置され、前記空気出しパイプの上端は右方に曲がり、且つ右方に開口し、前記ファン空間の後壁の中には固定横ロッドが固定的に設置され、前記ファンは前記固定横ロッドの下端面に回転できるように設置され、前記固定横ロッドの中には第一傘歯車空間が設置され、前記第一傘歯車空間の下壁の中には前記ファンに固定的に連結される従動傘歯車が回転できるように設置され、前記第一傘歯車空間の後壁には前記従動傘歯車に噛み合う主動傘歯車が回転できるように設置されていることを特徴とする請求項１に記載の排気ガス浄化処理装置付きの原料輸送システム。
【請求項３】
前記消臭装置は前記輸送空間の上壁の中に設置され、且つ前記空気吸い上げ空間の右側に位置する原料貯蔵空間を含み、前記原料貯蔵空間の右壁には右方に開口した原料入り通路が連通するように設置され、前記原料貯蔵空間の下壁には往復空間が連通するように設置され、前記往復空間の下壁には前記輸送空間に連通する原料落ち口が矩形に配置されるように、且つ連通するように設置され、前記原料撒き板は前記原料撒き板の中に前後にスライドできるように設置され、前記原料撒き板の中には貫通口が矩形に配置されるように、且つ上下に貫通するように設置されており、前記貫通口は前記原料落ち口と連通できることを特徴とする請求項２に記載の排気ガス浄化処理装置付きの原料輸送システム。
【請求項４】
前記原料撒き板の後端には連結ロッドがヒンジで連結され、前記往復空間の上壁後端には揺れロッドが回転できるように設置され、前記連結ロッドの後端は前記揺れロッドにおいて回転中心から離れた一端にヒンジで連結され、前記往復空間の上壁の中において前記揺れロッドの上側に正対するところには第二傘歯車空間が設置され、前記第二傘歯車空間の下壁には前記揺れロッドの回転中心に固定的に連結される伝動傘歯車が回転できるように設置され、前記第二傘歯車空間の後壁には前記伝動傘歯車に噛み合う動力傘歯車が回転できるように設置されていることを特徴とする請求項３に記載の排気ガス浄化処理装置付きの原料輸送システム。
【請求項５】
前記原料吸い上げ装置は前記原料吸い上げ空間の前後壁に回転できるように設置されて原料を吸い上げて輸送することができる吸い上げ輸送用軸を含み、前記吸い上げ輸送用軸の外周面には原料を吸い上げて輸送することができる吸い上げ輸送用羽根が環状に配置されるように、且つ固定的に設置され、前記原料吸い上げ空間の後側にははすば歯車空間が設置され、前記吸い上げ輸送用軸の後端において前記はすば歯車空間の中に伸びた部分には従動はすば歯車が固定的に設置され、前記はすば歯車空間の左壁には前記従動はすば歯車の上端に噛み合う主動はすば歯車が回転できるように設置されていることを特徴とする請求項４に記載の排気ガス浄化処理装置付きの原料輸送システム。
【請求項６】
前記伝動装置は前記主体の中の後側に設置される伝動空間を含み、前記伝動空間の前壁下端において前記輸送輪の後側に対応するところにはタイミング車輪が回転できるように設置され、左右両側の前記タイミング車輪はそれぞれ左右両側の前記輸送輪の後端に固定的に連結され、右側の前記タイミング車輪の後端にはウォームホイールが固定的に設置され、前記伝動空間の前壁において前記動力傘歯車の後側に正対するところには伝動プーリが回転できるように設置され、前記伝動プーリは前記動力傘歯車の後端に固定的に連結され、前記伝動プーリと前記タイミング車輪との間には伝動ベルトが巻き付くように設置され、前記伝動空間の前壁において前記ファン空間の後側に正対するところには従動鎖歯車が回転できるように設置され、前記従動鎖歯車の軸心には伝動軸が固定的に設置され、前記伝動軸の前端は前記主動傘歯車の軸心に固定的に連結され、前記従動鎖歯車の下側には前記伝動空間の前後壁に回転できるように連結される主動鎖歯車が設置され、前記主動鎖歯車と前記従動鎖歯車との間には鎖が巻き付くように設置され、前記主動鎖歯車の後端には伝動はすば歯車が固定的に設置されていることを特徴とする請求項５に記載の排気ガス浄化処理装置付きの原料輸送システム。
【請求項７】
前記伝動空間の下壁において前記伝動はすば歯車の右側に位置するところには固定縦ロッドが固定的に設置され、前記固定縦ロッドの中の上端には動力モーターが固定的に設置され、前記動力モーターの左端には前記伝動はすば歯車の下端に噛み合う動力はすば歯車が動力が伝達できるように連結され、前記動力モーターの右端には前記ウォームホイールの上端に噛み合うウォームが動力が伝達できるように連結され、前記ウォームの右端は前記はすば歯車空間の中に伸び、且つ前記主動はすば歯車の軸心に固定的に連結されていることを特徴とする請求項６に記載の排気ガス浄化処理装置付きの原料輸送システム。
【請求項８】
前記主体の中の右側には前記空気出しパイプと前記原料入り通路とを上下に貫通するバルブ空間が設置され、前記バルブ空間の中にはバルブ板が上下にスライドできるように設置され、前記バルブ板の中には前記原料入り通路と連通できるパイプ連通口が左右に貫通するように設置され、前記バルブ空間の下壁の中には制御モーターが固定的に設置され、前記制御モーターの上端には前記バルブ板の中にネジ山によって連結される制御スクリューが動力が伝達できるように連結されていることを特徴とする請求項７に記載の排気ガス浄化処理装置付きの原料輸送システム。
【請求項９】
前記輸送空間と前記原料送り込み口との間には開閉空間が連通するように設置され、前記開閉空間の前後壁の間には止め板が左右対称的に、且つ回転できるように設置され、前記開閉空間の上壁には前記原料送り込み口の左右両側に位置するばね空間が対称的に、且つ連通するように設置され、前記ばね空間の上壁と同じ側の前記止め板の上端面との間にはばねが固定的に連結されていることを特徴とする請求項１に記載の排気ガス浄化処理装置付きの原料輸送システム。
【請求項１０】
前記輸送空間の下壁右端にはスクレーパーブレードが固定的に設置され、前記スクレーパーブレードの左端面の上端は前記輸送ベルトの外表面と当接していることを特徴とする請求項１に記載の排気ガス浄化処理装置付きの原料輸送システム。
【発明の詳細な説明】
【技術分野】
【０００１】
本発明は浄化設備技術分野に関わり、具体的には排気ガス浄化処理装置付きの原料輸送システムである。
【背景技術】
【０００２】
多くのところ、例えば化学工場、飼料工場などで、原料を輸送する必要があり、固体の原料に対する輸送は大体露天輸送の方法を利用し、且つ浄化処理をほどんど行わなく、それで原料によって生み出された大量の排気ガスは空気に揮発し、空気を汚染してしまい、また作業環境にも影響を与え、従って、排気ガス浄化処理装置付きの原料輸送システムが需要となる。本発明は上記の問題を解決できる装置を開示した。
【先行技術文献】
【特許文献】
【０００３】
【特許文献１】中国特許出願公開第１０７７７７２３３号明細書
【発明の概要】
【発明が解決しようとする課題】
【０００４】
技術上の問題：
伝統的な固体原料に対する輸送は露天輸送の方法を利用し、且つ浄化処理をしなく、排気ガスは空気に揮発し、空気を汚染し、且つ作業環境に影響してしまう。
【課題を解決するための手段】
【０００５】
上記の問題を解決するために、本発明の実施例は排気ガス浄化処理装置付きの原料輸送システムをデザインした。本発明の実施例の排気ガス浄化処理装置付きの原料輸送システムは、主体を含み、前記主体の中には輸送空間が設置され、前記輸送空間の上壁左端には上方に開口した原料送り込み口が設置され、前記輸送空間の前後壁の間には輸送輪が左右対称的に、且つ回転できるように設置され、前記輸送輪の間には輸送ベルトが巻き付くように設置され、前記輸送空間の左壁には左側の前記輸送輪の上方に位置する流れガイド板が固定的に設置され、前記流れガイド板は前記原料送り込み口の下側に正対し、前記原料送り込み口によって原料が前記輸送空間の中に投入され、前記流れガイド板が流れをガイドすることで、原料が前記輸送ベルトの上方に落ち、且つ衝撃力で原料を分散し、且つ前記輸送ベルトを介して右方へ絶えずに輸送され、前記原料送り込み口の右側には空気吸い上げ装置が設置され、前記空気吸い上げ装置の中にはファンが設置され、前記ファンは原料から揮発した気体を排出し、前記空気吸い上げ装置の右側には消臭装置が設置され、前記消臭装置の中には原料撒き板が設置され、前記原料撒き板の前後への往復運動によって、消臭剤又はほかの消臭する用の試薬を前記原料撒き板の下方を経過する原料に均等的に撒き、前記輸送空間の右側壁には貯蔵空間が連通するように設置され、前記貯蔵空間の右側には原料吸い上げ装置が設置され、前記原料吸い上げ装置の中には原料吸い上げ空間が設置され、前記原料吸い上げ空間の右側には原料送り出しパイプが連通するように設置され、前記輸送ベルトは浄化処理された後の原料を前記貯蔵空間の中に輸送して貯蔵し、そして上述の原料が前記原料吸い上げ空間の中に入って吸い上げられて輸送され、また前記原料送り出しパイプを介して吸出されて使用され、前記主体の中の後側には伝動装置が設置され、前記伝動装置は前記輸送輪と、前記空気吸い上げ装置の中の前記ファンと、前記消臭装置の中の前記原料撒き板と、前記原料吸い上げ装置との同期作動を同期に連動させることができる。
【０００６】
好ましくは、前記空気吸い上げ装置は前記輸送空間の上壁に連通するように設置され、且つ前記原料送り込み口の右側に位置する空気吸い上げ空間を含み、前記空気吸い上げ空間の上壁にはファン空間が連通するように設置され、前記ファン空間の上壁には空気出しパイプが連通するように設置され、前記空気出しパイプの上端は右方に曲がり、且つ右方に開口し、前記ファン空間の後壁の中には固定横ロッドが固定的に設置され、前記ファンは前記固定横ロッドの下端面に回転できるように設置され、前記固定横ロッドの中には第一傘歯車空間が設置され、前記第一傘歯車空間の下壁の中には前記ファンに固定的に連結される従動傘歯車が回転できるように設置され、前記第一傘歯車空間の後壁には前記従動傘歯車に噛み合う主動傘歯車が回転できるように設置されている。
【０００７】
好ましくは、前記消臭装置は前記輸送空間の上壁の中に設置され、且つ前記空気吸い上げ空間の右側に位置する原料貯蔵空間を含み、前記原料貯蔵空間の右壁には右方に開口した原料入り通路が連通するように設置され、前記原料貯蔵空間の下壁には往復空間が連通するように設置され、前記往復空間の下壁には前記輸送空間に連通する原料落ち口が矩形に配置されるように、且つ連通するように設置され、前記原料撒き板は前記原料撒き板の中に前後にスライドできるように設置され、前記原料撒き板の中には貫通口が矩形に配置されるように、且つ上下に貫通するように設置されており、前記貫通口は前記原料落ち口と連通できる。
【０００８】
好ましくは、前記原料撒き板の後端には連結ロッドがヒンジで連結され、前記往復空間の上壁後端には揺れロッドが回転できるように設置され、前記連結ロッドの後端は前記揺れロッドにおいて回転中心から離れた一端にヒンジで連結され、前記往復空間の上壁の中において前記揺れロッドの上側に正対するところには第二傘歯車空間が設置され、前記第二傘歯車空間の下壁には前記揺れロッドの回転中心に固定的に連結される伝動傘歯車が回転できるように設置され、前記第二傘歯車空間の後壁には前記伝動傘歯車に噛み合う動力傘歯車が回転できるように設置されている。
【０００９】
好ましくは、前記原料吸い上げ装置は前記原料吸い上げ空間の前後壁に回転できるように設置されて原料を吸い上げて輸送することができる吸い上げ輸送用軸を含み、前記吸い上げ輸送用軸の外周面には原料を吸い上げて輸送することができる吸い上げ輸送用羽根が環状に配置されるように、且つ固定的に設置され、前記原料吸い上げ空間の後側にははすば歯車空間が設置され、前記吸い上げ輸送用軸の後端において前記はすば歯車空間の中に伸びた部分には従動はすば歯車が固定的に設置され、前記はすば歯車空間の左壁には前記従動はすば歯車の上端に噛み合う主動はすば歯車が回転できるように設置されている。
【００１０】
好ましくは、前記伝動装置は前記主体の中の後側に設置される伝動空間を含み、前記伝動空間の前壁下端において前記輸送輪の後側に対応するところにはタイミング車輪が回転できるように設置され、左右両側の前記タイミング車輪はそれぞれ左右両側の前記輸送輪の後端に固定的に連結され、右側の前記タイミング車輪の後端にはウォームホイールが固定的に設置され、前記伝動空間の前壁において前記動力傘歯車の後側に正対するところには伝動プーリが回転できるように設置され、前記伝動プーリは前記動力傘歯車の後端に固定的に連結され、前記伝動プーリと前記タイミング車輪との間には伝動ベルトが巻き付くように設置され、前記伝動空間の前壁において前記ファン空間の後側に正対するところには従動鎖歯車が回転できるように設置され、前記従動鎖歯車の軸心には伝動軸が固定的に設置され、前記伝動軸の前端は前記主動傘歯車の軸心に固定的に連結され、前記従動鎖歯車の下側には前記伝動空間の前後壁に回転できるように連結される主動鎖歯車が設置され、前記主動鎖歯車と前記従動鎖歯車との間には鎖が巻き付くように設置され、前記主動鎖歯車の後端には伝動はすば歯車が固定的に設置されている。
【００１１】
好ましくは、前記伝動空間の下壁において前記伝動はすば歯車の右側に位置するところには固定縦ロッドが固定的に設置され、前記固定縦ロッドの中の上端には動力モーターが固定的に設置され、前記動力モーターの左端には前記伝動はすば歯車の下端に噛み合う動力はすば歯車が動力が伝達できるように連結され、前記動力モーターの右端には前記ウォームホイールの上端に噛み合うウォームが動力が伝達できるように連結され、前記ウォームの右端は前記はすば歯車空間の中に伸び、且つ前記主動はすば歯車の軸心に固定的に連結されている。
【００１２】
好ましくは、前記主体の中の右側には前記空気出しパイプと前記原料入り通路とを上下に貫通するバルブ空間が設置され、前記バルブ空間の中にはバルブ板が上下にスライドできるように設置され、前記バルブ板の中には前記原料入り通路と連通できるパイプ連通口が左右に貫通するように設置され、前記バルブ空間の下壁の中には制御モーターが固定的に設置され、前記制御モーターの上端には前記バルブ板の中にネジ山によって連結される制御スクリューが動力が伝達できるように連結されている。
【００１３】
好ましくは、前記輸送空間と前記原料送り込み口との間には開閉空間が連通するように設置され、前記開閉空間の前後壁の間には止め板が左右対称的に、且つ回転できるように設置され、前記開閉空間の上壁には前記原料送り込み口の左右両側に位置するばね空間が対称的に、且つ連通するように設置され、前記ばね空間の上壁と同じ側の前記止め板の上端面との間にはばねが固定的に連結されている。
【００１４】
好ましくは、前記輸送空間の下壁右端にはスクレーパーブレードが固定的に設置され、前記スクレーパーブレードの左端面の上端は前記輸送ベルトの外表面と当接し、前記輸送ベルトが回転する時、前記スクレーパーブレードは前記輸送ベルトに貼り付いた原料を刮げ落とすことができる。
【発明の効果】
【００１５】
本発明の有益な効果は：本発明の排気ガス浄化処理装置付きの原料輸送システムは排気ガスを吸い上げて排出する方法と消臭剤をスプレーする方法で原料に消臭浄化処理を行い、またニーズに応じて消臭剤を使用するか否かを選択でき、同時に本発明の排気ガス浄化処理装置付きの原料輸送システムは密閉性が非常によく、原料に浄化処理を行う過程において排気ガスが外部に漏れて空気を汚染するのを有効に回避できる。
【図面の簡単な説明】
【００１６】
説明しやすいために、本発明を下記の具体的な実施例及び附図をもって詳しく説明する。下記に図１〜８をあわせて本発明について詳しく説明し、便利に説明するために、下記の方向を以下のように規定する：図１は本発明装置の正面図であり、以下に述べる上下左右前後の方向と図１の自身投影関係の上下左右前後の方向とが一致である。
【００１７】
【図１】図１は本発明の排気ガス浄化処理装置付きの原料輸送システムの全体構成概略図
【図２】図２は図１の「Ａ」の構成拡大概略図
【図３】図３は図１の「Ｂ―Ｂ」方向の構成概略図
【図４】図４は図１の「Ｃ―Ｃ」方向の構成概略図
【図５】図５は図４の「Ｄ」の構成拡大概略図
【図６】図６は図４の「Ｅ―Ｅ」方向の構成概略図
【図７】図７は図４の「Ｆ―Ｆ」方向の構成概略図
【図８】図８は図１の「Ｇ」の構成拡大概略図
【発明を実施するための形態】
【００１８】
本発明は排気ガス浄化処理装置付きの原料輸送システムに関わり、主に原料の排気ガスに対する浄化作業に応用され、下記に本発明の図面を参照して本発明についてさらなる説明を行う。
【００１９】
本発明に記載の排気ガス浄化処理装置付きの原料輸送システムは、主体１１を含み、前記主体１１の中には輸送空間１２が設置され、前記輸送空間１２の上壁左端には上方に開口した原料送り込み口１３が設置され、前記輸送空間１２の前後壁の間には輸送輪１４が左右対称的に、且つ回転できるように設置され、前記輸送輪１４の間には輸送ベルト１５が巻き付くように設置され、前記輸送空間１２の左壁には左側の前記輸送輪１４の上方に位置する流れガイド板１６が固定的に設置され、前記流れガイド板１６は前記原料送り込み口１３の下側に正対し、前記原料送り込み口１３によって原料が前記輸送空間１２の中に投入され、前記流れガイド板１６が流れをガイドすることで、原料が前記輸送ベルト１５の上方に落ち、且つ衝撃力で原料を分散し、且つ前記輸送ベルト１５を介して右方へ絶えずに輸送され、前記原料送り込み口１３の右側には空気吸い上げ装置１０１が設置され、前記空気吸い上げ装置１０１の中にはファン１７が設置され、前記ファン１７は原料から揮発した気体を排出し、前記空気吸い上げ装置１０１の右側には消臭装置１０２が設置され、前記消臭装置１０２の中には原料撒き板１８が設置され、前記原料撒き板１８の前後への往復運動によって、消臭剤又はほかの消臭する用の試薬を前記原料撒き板１８の下方を経過する原料に均等的に撒き、前記輸送空間１２の右側壁には貯蔵空間１９が連通するように設置され、前記貯蔵空間１９の右側には原料吸い上げ装置１０３が設置され、前記原料吸い上げ装置１０３の中には原料吸い上げ空間２０が設置され、前記原料吸い上げ空間２０の右側には原料送り出しパイプ２１が連通するように設置され、前記輸送ベルト１５は浄化処理された後の原料を前記貯蔵空間１９の中に輸送して貯蔵し、そして上述の原料が前記原料吸い上げ空間２０の中に入って吸い上げられて輸送され、また前記原料送り出しパイプ２１を介して吸出されて使用され、前記主体１１の中の後側には伝動装置１０４が設置され、前記伝動装置１０４は前記輸送輪１４と、前記空気吸い上げ装置１０１の中の前記ファン１７と、前記消臭装置１０２の中の前記原料撒き板１８と、前記原料吸い上げ装置１０３との同期作動を同期に連動させることができる。
【００２０】
有益なように、前記空気吸い上げ装置１０１は前記輸送空間１２の上壁に連通するように設置され、且つ前記原料送り込み口１３の右側に位置する空気吸い上げ空間２２を含み、前記空気吸い上げ空間２２の上壁にはファン空間２３が連通するように設置され、前記ファン空間２３の上壁には空気出しパイプ２４が連通するように設置され、前記空気出しパイプ２４の上端は右方に曲がり、且つ右方に開口し、前記ファン空間２３の後壁の中には固定横ロッド２５が固定的に設置され、前記ファン１７は前記固定横ロッド２５の下端面に回転できるように設置され、前記固定横ロッド２５の中には第一傘歯車空間２６が設置され、前記第一傘歯車空間２６の下壁の中には前記ファン１７に固定的に連結される従動傘歯車２７が回転できるように設置され、前記第一傘歯車空間２６の後壁には前記従動傘歯車２７に噛み合う主動傘歯車２８が回転できるように設置されている。
【００２１】
有益なように、前記消臭装置１０２は前記輸送空間１２の上壁の中に設置され、且つ前記空気吸い上げ空間２２の右側に位置する原料貯蔵空間２９を含み、前記原料貯蔵空間２９の右壁には右方に開口した原料入り通路３０が連通するように設置され、前記原料貯蔵空間２９の下壁には往復空間３１が連通するように設置され、前記往復空間３１の下壁には前記輸送空間１２に連通する原料落ち口３２が矩形に配置されるように、且つ連通するように設置され、前記原料撒き板１８は前記原料撒き板１８の中に前後にスライドできるように設置され、前記原料撒き板１８の中には貫通口３３が矩形に配置されるように、且つ上下に貫通するように設置されており、前記貫通口３３は前記原料落ち口３２と連通できる。
【００２２】
有益なように、前記原料撒き板１８の後端には連結ロッド３４がヒンジで連結され、前記往復空間３１の上壁後端には揺れロッド３５が回転できるように設置され、前記連結ロッド３４の後端は前記揺れロッド３５において回転中心から離れた一端にヒンジで連結され、前記往復空間３１の上壁の中において前記揺れロッド３５の上側に正対するところには第二傘歯車空間３６が設置され、前記第二傘歯車空間３６の下壁には前記揺れロッド３５の回転中心に固定的に連結される伝動傘歯車３７が回転できるように設置され、前記第二傘歯車空間３６の後壁には前記伝動傘歯車３７に噛み合う動力傘歯車３８が回転できるように設置されている。
【００２３】
有益なように、前記原料吸い上げ装置１０３は前記原料吸い上げ空間２０の前後壁に回転できるように設置されて原料を吸い上げて輸送することができる吸い上げ輸送用軸３９を含み、前記吸い上げ輸送用軸３９の外周面には原料を吸い上げて輸送することができる吸い上げ輸送用羽根４０が環状に配置されるように、且つ固定的に設置され、前記原料吸い上げ空間２０の後側にははすば歯車空間５５が設置され、前記吸い上げ輸送用軸３９の後端において前記はすば歯車空間５５の中に伸びた部分には従動はすば歯車５６が固定的に設置され、前記はすば歯車空間５５の左壁には前記従動はすば歯車５６の上端に噛み合う主動はすば歯車５７が回転できるように設置されている。
【００２４】
有益なように、前記伝動装置１０４は前記主体１１の中の後側に設置される伝動空間４１を含み、前記伝動空間４１の前壁下端において前記輸送輪１４の後側に対応するところにはタイミング車輪４２が回転できるように設置され、左右両側の前記タイミング車輪４２はそれぞれ左右両側の前記輸送輪１４の後端に固定的に連結され、右側の前記タイミング車輪４２の後端にはウォームホイール５４が固定的に設置され、前記伝動空間４１の前壁において前記動力傘歯車３８の後側に正対するところには伝動プーリ４３が回転できるように設置され、前記伝動プーリ４３は前記動力傘歯車３８の後端に固定的に連結され、前記伝動プーリ４３と前記タイミング車輪４２との間には伝動ベルト５０が巻き付くように設置され、前記伝動空間４１の前壁において前記ファン空間２３の後側に正対するところには従動鎖歯車４４が回転できるように設置され、前記従動鎖歯車４４の軸心には伝動軸４５が固定的に設置され、前記伝動軸４５の前端は前記主動傘歯車２８の軸心に固定的に連結され、前記従動鎖歯車４４の下側には前記伝動空間４１の前後壁に回転できるように連結される主動鎖歯車４６が設置され、前記主動鎖歯車４６と前記従動鎖歯車４４との間には鎖４７が巻き付くように設置され、前記主動鎖歯車４６の後端には伝動はすば歯車４８が固定的に設置されている。
【００２５】
有益なように、前記伝動空間４１の下壁において前記伝動はすば歯車４８の右側に位置するところには固定縦ロッド４９が固定的に設置され、前記固定縦ロッド４９の中の上端には動力モーター５１が固定的に設置され、前記動力モーター５１の左端には前記伝動はすば歯車４８の下端に噛み合う動力はすば歯車５２が動力が伝達できるように連結され、前記動力モーター５１の右端には前記ウォームホイール５４の上端に噛み合うウォーム５３が動力が伝達できるように連結され、前記ウォーム５３の右端は前記はすば歯車空間５５の中に伸び、且つ前記主動はすば歯車５７の軸心に固定的に連結されている。
【００２６】
有益なように、前記主体１１の中の右側には前記空気出しパイプ２４と前記原料入り通路３０とを上下に貫通するバルブ空間５８が設置され、前記バルブ空間５８の中にはバルブ板５９が上下にスライドできるように設置され、前記バルブ板５９の中には前記原料入り通路３０と連通できるパイプ連通口６０が左右に貫通するように設置され、前記バルブ空間５８の下壁の中には制御モーター６１が固定的に設置され、前記制御モーター６１の上端には前記バルブ板５９の中にネジ山によって連結される制御スクリュー６２が動力が伝達できるように連結されている。
【００２７】
有益なように、前記輸送空間１２と前記原料送り込み口１３との間には開閉空間６３が連通するように設置され、前記開閉空間６３の前後壁の間には止め板６４が左右対称的に、且つ回転できるように設置され、前記開閉空間６３の上壁には前記原料送り込み口１３の左右両側に位置するばね空間６５が対称的に、且つ連通するように設置され、前記ばね空間６５の上壁と同じ側の前記止め板６４の上端面との間にはばね６６が固定的に連結されている。
【００２８】
有益なように、前記輸送空間１２の下壁右端にはスクレーパーブレード６７が固定的に設置され、前記スクレーパーブレード６７の左端面の上端は前記輸送ベルト１５の外表面と当接し、前記輸送ベルト１５が回転する時、前記スクレーパーブレード６７は前記輸送ベルト１５に貼り付いた原料を刮げ落とすことができる。
【００２９】
下記に図面１〜８を合わせて本発明の排気ガス浄化処理装置付きの原料輸送システムの使用ステップを詳しく説明する。
【００３０】
初めに、止め板６４は水平状態にあり、原料送り込み口１３と輸送空間１２との間を閉鎖し、貫通口３３と原料落ち口３２とが位置ずれて連通しておらず、バルブ板５９は上側限界位置に位置し、空気出しパイプ２４と原料入り通路３０とを閉鎖し、この時にパイプ連通口６０は原料入り通路３０と空気出しパイプ２４との間に位置し、空気出しパイプ２４の右端の開口を排気ガス処理装置と連通させる。
【００３１】
前処理の時、輸送される原料は消臭剤を利用する必要があるか否かに応じて、原料入り通路３０を開けるか否かを選択し、消臭剤を利用する必要がない時、制御モーター６１が始動され、且つ制御スクリュー６２を回転連動させ、ネジ山による連結を通してバルブ板５９を中間位置まで下降連動させ、そして空気出しパイプ２４を開け、この時にパイプ連通口６０は依然として原料入り通路３０と連通していなく、消臭剤を利用する需要がある時、制御モーター６１が始動され、且つバルブ板５９を下側限界位置まで下降連動させ、この時、空気出しパイプ２４を開け、パイプ連通口６０は原料入り通路３０と連通し、この時に原料入り通路３０を介して消臭剤を貯蔵空間２９の中に添加する。
【００３２】
輸送する時、動力モーター５１が始動され、且つ動力はすば歯車５２とウォーム５３とを回転連動させ、動力はすば歯車５２は歯車の噛み合いによって伝動はすば歯車４８を回転連動させ、且つ主動鎖歯車４６を回転連動させ、鎖４７によって従動鎖歯車４４を回転連動させ、伝動軸４５によって主動傘歯車２８を回転連動させ、歯車の噛み合いによって従動傘歯車２７を回転連動させ、且つファン１７を高速で回転させ、そしてファン１７に風を吸い込ませ、輸送空間１２の中の気体は空気吸い上げ空間２２とファン空間２３とを介して空気出しパイプ２４の中に吸い込まれ、且つその気体に収集処理を行い、この時、ウォーム５３は歯車の噛み合いによってウォームホイール５４を減速で回転させ、更に右側のタイミング車輪４２を回転連動させ、伝動ベルト５０によって伝動プーリ４３と左側のタイミング車輪４２とを回転連動させ、タイミング車輪４２は輸送輪１４を回転連動させ、更に輸送ベルト１５に右方へ輸送させ、この時、原料が原料送り込み口１３の中に送り込まれ、且つ止め板６４の上方に積み重ねられ、原料の重力作用で、止め板６４の相対した端は下方に反転し、そして原料送り込み口１３を開け、この時、原料は輸送空間１２の中に落ち、且つ前記流れガイド板１６を介して輸送ベルト１５に滑り落ち、更に輸送ベルト１５が右方に原料を輸送し、この過程において、伝動プーリ４３は動力傘歯車３８を回転連動させ、歯車の噛み合いによって伝動傘歯車３７を回転連動させ、且つ揺れロッド３５を回転連動させ、そして連結ロッド３４によって原料撒き板１８を前後に移動連動させ、貫通口３３と原料落ち口３２と連通した時、原料貯蔵空間２９の中の消臭剤は輸送空間１２の中に落ち込んで原料にこぼれ落ちることができ、浄化処理後の原料は貯蔵空間１９の中に落ち、更に原料吸い上げ空間２０の中に入り、この時、ウォーム５３は主動はすば歯車５７を回転連動させ、歯車の噛み合いによって従動はすば歯車５６を回転連動させ、吸い上げ輸送用軸３９によって吸い上げ輸送用羽根４０を回転連動させ、そして原料吸い上げ空間２０の中の原料は原料出しパイプ２１を介して送り出される。
【００３３】
本発明の有益な効果は：本発明の排気ガス浄化処理装置付きの原料輸送システムは排気ガスを吸い上げて排出する方法と消臭剤をスプレーする方法で原料に消臭浄化処理を行い、またニーズに応じて消臭剤を使用するか否かを選択でき、同時に本発明の排気ガス浄化処理装置付きの原料輸送システムは密閉性が非常によく、原料に浄化処理を行う過程において排気ガスが外部に漏れて空気を汚染するのを有効に回避できる。
【００３４】
上記の方式によって、当業者は本発明の範囲内で作動モードに基づいて様々な変わりを行うことができる。
【要約】
【課題】本発明は排気ガス浄化処理装置付きの原料輸送システムを開示した。
【解決手段】
主体を含み、前記主体の中には輸送空間が設置され、前記輸送空間の上壁左端には上方に開口した原料送り込み口が設置され、前記輸送空間の前後壁の間には輸送輪が左右対称的に、且つ回転できるように設置され、前記輸送輪の間には輸送ベルトが巻き付くように設置され、本発明の排気ガス浄化処理装置付きの原料輸送システムは排気ガスを吸い上げて排出する方法と消臭剤をスプレーする方法で原料に消臭浄化処理を行い、またニーズに応じて消臭剤を使用するか否かを選択でき、同時に本発明の排気ガス浄化処理装置付きの原料輸送システムは密閉性が非常によく、原料に浄化処理を行う過程において排気ガスが外部に漏れて空気を汚染するのを有効に回避できる。
【選択図】図１【図１】
0006789476.tif 000002
【図２】
0006789476.tif 000003
【図３】
0006789476.tif 000004
【図４】
0006789476.tif 000005
【図５】
0006789476.tif 000006
【図６】
0006789476.tif 000007
【図７】
0006789476.tif 000008
【図８】
0006789476.tif 000009